(57)【要約】【課題】構造の簡略化を図り易く、階段ユニットを作業用通路として早期に確保し易い階段設置方法を提供する。【解決手段】プレキャストコンクリート製の階段ユニットＢが、構造体Ａの上端支持部４に支持される上端部分２と、構造体Ａの下端支持部８に支持される下端部分３とを備え、上端部分２を上端支持部４に剛接合すると共に、下端部分３を下端支持部８に滑り支承９を介して支持する階段設置方法であって、上端支持部４に載置した上端部分２が当該上端支持部４から脱落する方向への下端部分３の移動に対して、移動方向下手側から突張作用する突張具１１を、当該下端部分３と構造体Ａの反力受け部１２とに亘って装着する。【選択図】図１
2015010326.tif 000002
【特許請求の範囲】
【請求項１】
プレキャストコンクリート製の階段ユニットが、構造体の上端支持部に支持される上端部分と、構造体の下端支持部に支持される下端部分とを備え、
前記上端部分を前記上端支持部に剛接合すると共に、前記下端部分を前記下端支持部に滑り支承を介して支持する階段設置方法であって、
前記上端支持部に載置した前記上端部分が当該上端支持部から脱落する方向への前記下端部分の移動に対して、移動方向下手側から突張作用する突張具を、当該下端部分と構造体の反力受け部とに亘って装着する階段設置方法。
【請求項２】
前記突張具が、前記下端部分と前記反力受け部との距離を調節可能な調節部を備えている請求項１に記載の階段設置方法。
【請求項３】
前記上端支持部と当該上端支持部に載置した前記上端部分とを、前記上端支持部と前記上端部分とに亘って打設した二次コンクリートで剛接合する請求項１又は２に記載の階段設置方法。
【発明の詳細な説明】
【技術分野】
【０００１】
本発明は、プレキャストコンクリート製の階段ユニットが、構造体の上端支持部に支持される上端部分と、構造体の下端支持部に支持される下端部分とを備え、前記上端部分を前記上端支持部に剛接合すると共に、前記下端部分を前記下端支持部に滑り支承を介して支持する階段設置方法に関する。
【背景技術】
【０００２】
上記階段設置方法は、例えば地震により建物の変形が生じたときに、階段ユニットの建物に対する変位を許容してその破損を回避できるように、階段ユニットの上端部分を上端支持部に剛接合すると共に、下端部分を下端支持部に滑り支承を介して支持する。
特許文献１には、階段ユニットの上端部分を上端支持部に剛接合するために、構造体側にスタッドボルトを設けておくと共に、階段ユニット側にスタッドボルトを挿入するボルト挿入孔を形成しておき、スタッドボルトがボルト挿入孔に入り込むように階段ユニットを吊り下げて設置する階段設置方法が開示されている。
【先行技術文献】
【特許文献】
【０００３】
【特許文献１】特開２００８−２２３４２２号公報
【発明の概要】
【発明が解決しようとする課題】
【０００４】
従来の階段設置方法は、構造体側にスタッドボルトを設けおくと共に、階段ユニット側にボルト挿入孔を形成しておくので、構造が複雑化し易い。
また、スタッドボルトがボルト挿入孔に入り込むように階段ユニットを吊り下げて設置するので、設置に手間を要し、階段ユニットを作業用通路として早期に確保し難い。
本発明は上記実情に鑑みてなされたものであって、構造の簡略化を図り易く、階段ユニットを作業用通路として早期に確保し易い階段設置方法を提供することを目的とする。
【課題を解決するための手段】
【０００５】
本発明の特徴構成は、プレキャストコンクリート製の階段ユニットが、構造体の上端支持部に支持される上端部分と、構造体の下端支持部に支持される下端部分とを備え、前記上端部分を前記上端支持部に剛接合すると共に、前記下端部分を前記下端支持部に滑り支承を介して支持する階段設置方法であって、前記上端支持部に載置した前記上端部分が当該上端支持部から脱落する方向への前記下端部分の移動に対して、移動方向下手側から突張作用する突張具を、当該下端部分と構造体の反力受け部とに亘って装着してある点にある。
【０００６】
本構成の階段設置方法は、スタッドボルトやそのボルト挿入孔などの複雑な接合構造を設けることなく、階段ユニットの上端部分を上端支持部に載置して、その上端部分が上端支持部から脱落する方向への下端部分の移動を、下端部分に対して移動方向下手側から突張作用する突張具により阻止することができる。
このため、階段ユニットの上端部分を上端支持部に載置して、下端部分と構造体の反力受け部とに亘って突張具を装着するという簡便な作業で、上端部分が上端支持部から脱落しないように、階段ユニットを容易に設置することができる。
したがって、本構成の階段設置方法であれば、構造の簡略化を図り易いと共に、階段ユニットを作業用通路として早期に確保し易い。
【０００７】
本発明の他の特徴構成は、前記突張具が、前記下端部分と前記反力受け部との距離を調節可能な調節部を備えている点にある。
【０００８】
本構成であれば、階段ユニットの下端部分と反力受け部との距離を調節して、階段ユニットを所定位置に位置決めすることができるので、階段ユニットの設置作業の能率向上を図り易い。
【０００９】
本発明の他の特徴構成は、前記上端支持部と当該上端支持部に載置した前記上端部分とを、前記上端支持部と前記上端部分とに亘って打設した二次コンクリートで剛接合する点にある。
【００１０】
本構成であれば、複雑な接合構造を設けることなく、上端支持部と上端部分とを二次コンクリートで簡便に剛接合することができる。また、上端部分を上端支持部に載置した階段ユニットを、作業用通路として一層早期に確保し易い。
【図面の簡単な説明】
【００１１】
【図１】階段設置方法を示す側面断面図である。
【図２】階段設置方法を示す側面断面図である。
【図３】階段設置方法を示す側面断面図である。
【発明を実施するための形態】
【００１２】
以下に本発明の実施の形態を図面に基づいて説明する。
図１〜図３は、鉄筋コンクリート製建物を構築する構造体Ａの内部に、プレキャストコンクリート製の階段ユニットＢを設置する本発明による階段設置方法を示す。階段ユニットＢは、平面視で矩形の階段部分１と、階段部分１の前後に一体形成された上端部分２および下端部分３とを備える。
【００１３】
上端部分２は、階段部分１の上端側から水平方向に突出するフラットな板状に形成され、構造体Ａの階段室壁Ａ１から突設した階段踊り場などを構成する上端支持部４に支持される。上端部分２の先端面２ａには、多数の定着筋５を突出させてある。
【００１４】
上端支持部４は、上端部分２を受け止める段部６を備えたプレキャストコンクリートで構成されている。段部６は、上端部分２の先端面２ａに対して水平方向から対向する側面６ａと、上端部分２の下面に対して対向する底面６ｂとを備え、上端部分２の突出長さを超える長さで上端支持部４の先端に亘って形成してある。
【００１５】
上端部分２を、定着筋５が段部６に入り込むように、当該段部６の端部に載置することにより、上端部分２の上面２ｂと上端支持部４の上面４ａとが略面一に位置決めされる。
【００１６】
段部６に載置した上端部分２と上端支持部４は、段部６の側面６ａと上端部分２の先端面２ａとの間に形成された充填空間に上端部分２と上端支持部４とに亘って打設した二次コンクリート７の付着力により、互いに剛接合される。
【００１７】
下端部分３は、階段部分１の下端側下部に形成した水平方向に沿うフラットな被支持面３ａを備え、被支持面３ａが構造体Ａに設けた床スラブなどの下端支持部８に滑り支承９を介して支持される。
【００１８】
滑り支承９は、被支持面３ａに固定された上部滑り板と、下端支持部（床スラブ）８の上面（床面）に固定された下部滑り板とを重ね合わせて構成してある。上部滑り板と下部滑り板との相対摺動により、下端部分３の下端支持部８に対する変位を許容する。
【００１９】
上端部分２を上端支持部４に剛接合すると共に、下端部分３を下端支持部８に滑り支承９を介して支持する本発明による階段設置方法を説明する。
図１は、上端部分２を上端支持部４に形成した段部６の底面６ｂに載置すると共に、下端部分３を滑り支承９を介して下端支持部８に載置して、階段ユニットＢを構造体Ａに仮置きした状態を示す。
上端支持部４は、仮支柱１０で下端支持部（床スラブ）８に支持されている。
【００２０】
この仮置き状態において、上端部分２が上端支持部４から脱落する方向への下端部分３の移動に対して移動方向下手側から突張作用する突張具１１を、当該下端部分３と構造体Ａの階段室壁Ａ１などで構成される反力受け部１２とに亘って装脱自在に装着する。
突張具１１の装着により、階段ユニットＢが仮固定され、階段ユニットＢを作業用通路として確保することができる。
【００２１】
突張具１１は、例えば駒部材１１ａの回転操作で伸縮自在なターンバックルで構成してある。突張具１１の伸縮操作によって下端部分３と反力受け部１２との距離を調節して、階段ユニットＢを所定位置に位置決めする。したがって、駒部材１１ａが、下端部分３と反力受け部１２との距離を調節可能な調節部に相当している。
なお、突張具１１として、伸縮自在なパイプサポートを使用してもよい。
【００２２】
図２は、段部６の側面６ａと上端部分２の先端面２ａとの間に形成された充填空間に、上端部分２と上端支持部４とに亘って二次コンクリート７を打設した状態を示す。二次コンクリート７の硬化により、上端部分２と上端支持部４とが互いに剛接合される。
【００２３】
したがって、突張具１１は、二次コンクリート７が所定強度を発現するように硬化するまで、下端部分３と反力受け部１２とに亘って装着される。また、仮支柱１０も、二次コンクリート７が所定強度を発現するように硬化するまで、上端支持部４と下端支持部（床スラブ）８との間に設置される。
【００２４】
図３は、二次コンクリート７が硬化した後、仮支柱１０および突張具１１を撤去した状態を示す。したがって、例えば地震により建物の変形が生じたときに、階段ユニットＢの建物に対する変位を滑り支承９により許容してその破損を回避できる。
【００２５】
［別実施形態］
上記実施形態では、上端支持部４はプレキャストコンクリート部材として説明したが、上端支持部４は、段部６を備えないハーフプレキャストコンクリート部材や在来の床型枠等であってもよい。
【符号の説明】
【００２６】
２  上端部分
３  下端部分
４  上端支持部
７  二次コンクリート
８  下端支持部
９  滑り支承
１１  突張具
１１ａ  調節部
１２  反力受け部
Ａ  構造体
Ｂ  階段ユニット
【図１】
2015010326.tif 000003
【図２】
2015010326.tif 000004
【図３】
2015010326.tif 000005